【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
赤外線近接センサ・パッケージであって、
赤外線送信機と、
赤外線受信機と、
前記パッケージの頂上に配置されたシールドであって、前記シールドが、前記シールドを貫通して配置されかつそれぞれ前記赤外線送信機及び前記赤外線受信機の上に位置付けされた第１及び第２の開口を有し、前記送信機によって放射される赤外線が前記第１の開口を通り、検出されるべき物体から反射される赤外線が前記第２の開口を通って前記受信機によって検出されるようになっており、前記シールドがその少なくとも上面に配置された赤外線吸収材料を含む、シールドと、
側壁、第１の凹部、第２の凹部、及び前記第１及び第２の凹部の間に配置されたパーティショニング・デバイダを備える筐体とを具備し、
前記送信機が前記第１の凹部に配置され、前記受信機が前記第２の凹部に配置され、かつ前記パーティショニング・デバイダが液晶ポリマ（ＬＣＰ）からなり、前記パーティショニング・デバイダと前記シールドの赤外線吸収材料は一緒に協力して、前記筐体内で内部反射されるか又は擬似信号として前記受信機に入射する可能性がある不要な赤外線を著しく減衰及び吸収するようになっている、赤外線近接センサ・パッケージ。
【請求項２】
前記パーティショニング・デバイダの厚さＴが約０．４ｍｍを超えることによって、前記筐体内で内部反射した赤外線の少なくとも約９０％が前記受信機によって検出されずに前記シールドと前記ＬＣＰによって減衰又は吸収される、請求項１に記載の赤外線近接センサ・パッケージ。
【請求項３】
前記パーティショニング・デバイダの厚さＴが約０．５ｍｍを超えることによって、前記筐体内で内部反射した赤外線の少なくとも約９５％が前記受信機によって検出されずに前記シールドと前記ＬＣＰによって減衰又は吸収される、請求項１に記載の赤外線近接センサ・パッケージ。
【請求項４】
前記パーティショニング・デバイダの厚さＴが約０．６ｍｍを超えることによって、前記筐体内で内部反射した赤外線の少なくとも約９７％が前記受信機によって検出されずに前記シールドと前記ＬＣＰによって減衰又は吸収される、請求項１に記載の赤外線近接センサ・パッケージ。
【請求項５】
前記シールドの上面と側面が黒色である、請求項１に記載の赤外線近接センサ・パッケージ。
【請求項６】
前記シールドが赤外線吸収ポリマを含んでいる、請求項１に記載の赤外線近接センサ・パッケージ。
【請求項７】
前記赤外線吸収ポリマがＬＣＰを含んでいる、請求項６に記載の赤外線近接センサ・パッケージ。
【請求項８】
前記シールドが黒色コーティングである、請求項１に記載の赤外線近接センサ・パッケージ。
【請求項９】
前記筐体の下に嵌着するように構成されたリードフレームをさらに含み、前記送信機がその第１のフレーム部分上に配置され、前記受信機がその第２のフレーム部分上に配置されることによって、前記送信機が第１の凹部内に位置付けられかつ前記受信機が第２の凹部内に位置付けられる、請求項１に記載の赤外線近接センサ・パッケージ。
【請求項１０】
前記筐体の側壁がＬＣＰを含み、前記筐体内で側壁の方向に内部反射された赤外線が、前記側壁中に含まれたＬＣＰによって著しく減衰又は吸収される、請求項１に記載の赤外線近接センサ・パッケージ。
【請求項１１】
前記筐体がＬＣＰから成形される、請求項１に記載の赤外線近接センサ・パッケージ。
【請求項１２】
前記送信機及び前記受信機に動作的に接続されたプロセッサをさらに含み、前記プロセッサが送信機用駆動回路、受信機用検出回路及び信号処理回路を備える、請求項１に記載の赤外線近接センサ・パッケージ。
【請求項１３】
前記送信機が赤外線ＬＥＤ送信機を備える、請求項１に記載の赤外線近接センサ・パッケージ。
【請求項１４】
前記受信機が、ＰＩＮダイオード、フォトダイオード及びフォトトランジスタの少なくとも１つを含む、請求項１に記載の赤外線近接センサ・パッケージ。
【請求項１５】
前記送信機及び前記受信機の少なくとも１つが、約８００ｎｍと約１１００ｎｍとの間、又は約８５０ｎｍと約９００ｎｍとの間の範囲の帯域幅内で動作するように構成される、請求項１に記載の赤外線近接センサ・パッケージ。
【請求項１６】
前記センサ・パッケージが、携帯型電子装置、手持ち式携帯型電子装置、据え置き型電子装置、洗濯機、ドライヤ、運動器具、工業用制御又はスイッチング装置、カメラ、玩具、自動車電話、携帯電話、携帯型音楽プレーヤ、遠隔制御装置、テレビ、空調ユニット、加熱装置、オーディオ再生装置、オーディオ記録装置、ＭＰ３プレーヤ、ラップトップ・コンピュータ、携帯情報端末（ＰＤＡ）、ラジオ、トランシーバからなるグループから選択された電子装置に組み込まれる、請求項１に記載の赤外線近接センサ・パッケージ。
【請求項１７】
前記センサ・パッケージが、電話に組み込まれ、オート・ボリューム調整回路及びオープン・フォーン検出回路の少なくとも１つに動作的に接続される、請求項１に記載の赤外線近接センサ・パッケージ。
【請求項１８】
送信機用ダイ及び受信機用ダイの少なくとも１つの上に配置されたレンズをさらに備える、請求項１に記載の赤外線近接センサ・パッケージ。
【請求項１９】
前記レンズが、約７００ｎｍよりも小さい光の波長を少なくとも部分的に受け入れないロー・カット・フィルタとして動作するように構成される、請求項１８に記載の赤外線近接センサ・パッケージ。
【請求項２０】
前記レンズが熱硬化性のエポキシ又はポリマから形成される、請求項１８に記載の赤外線近接センサ・パッケージ。
【請求項２１】
前記パッケージの長さ及び幅の少なくとも１つが約５ｍｍよりも小さい、請求項１に記載の赤外線近接センサ・パッケージ。
【請求項２２】
前記パッケージの高さが、約３ｍｍ、約２ｍｍ及び約１．２ｍｍの少なくとも１つよりも小さい、請求項１に記載の赤外線近接センサ・パッケージ。
【請求項２３】
赤外線近接センサ・パッケージを作る方法であって、
赤外線送信機を提供し、
赤外線受信機を提供し、
前記パッケージの頂上に配置されるシールドを提供し、前記シールドが、前記シールドを貫通して配置されかつそれぞれ前記赤外線送信機及び前記赤外線受信機の上に位置決めされた第１及び第２の開口を有し、前記送信機によって放射される赤外線が前記第１の開口を通り、検出されるべき物体から反射される赤外線が前記第２の開口を通って前記受信機によって検出されるようになっており、前記シールドがその少なくとも上面に配置された赤外線吸収材料を含み、
側壁、第１の凹部、第２の凹部、及び前記第１及び第２の凹部の間に配置されたパーティショニング・デバイダを備える筐体を提供し、
前記送信機を前記第１の凹部内に位置付け、
前記受信機を第２の凹部の中に位置付けることを含み、
前記パーティショニング・デバイダが液晶ポリマ（ＬＣＰ）からなり、前記パーティショニング・デバイダ及び前記シールドの赤外線吸収材料が一緒に協力して、前記筐体内で内部反射されるか又は擬似信号として前記受信機に入射する可能性がある不要な赤外線を著しく減衰及び吸収するようになっている、赤外線近接センサ・パッケージを作る方法。
【手続補正２】
【補正対象書類名】明細書
【補正対象項目名】００３８
【補正方法】変更
【補正の内容】
【００３８】
本発明の入力装置の主要な用途は、比較的小さい携帯装置と関連していると信じられているが、例えば、デスクトップコンピュータに関連したキーボード又は、限定されることはない実施例のみを挙げると、運動装置、産業用制御パネル、又は家庭用又は他の電気製品などの他の携帯型でない装置を含むより大きな装置に関しても有効である。